(57)【要約】  【課題】  マイクロコンピュータの出力ポートを１個使用して、複数の発光ダイオードを制御することができる発光ダイオード点灯装置を提供する。  【解決手段】  例えば電源スイッチ２がオンされると、電源オンを示すハイレベルの操作信号がＡＮＤゲート２８の一方端子に入力され、マイクロコンピュータ２２の出力ポート２５からのデューティ信号がＡＮＤゲート２８の他方端子に入力されると、ＡＮＤゲート２８からは前記操作信号と前記デューティ信号との論理積を取った制御信号が出力される。この制御信号を入力したトランジスタ１４はスイッチング動作を行い、電源オンを示す発光ダイオードＤ１を点灯させる。他の発光ダイオードＤ２，Ｄ３についても同様に、ＡＮＤゲート３０，３２からは操作信号と前記デューティ信号との論理積を取った制御信号により点灯される。【選択図】      図１
2006041142.tif 000002
【特許請求の範囲】
【請求項１】
電子機器におけるインジケータ用の複数の発光ダイオードをダイナミック点灯させる発
光ダイオード点灯装置において、発光ダイオードに駆動電流を流すスイッチング素子と、
該スイッチング素子に制御信号を与えるＡＮＤゲートとを、発光ダイオードの個数分設け
、各ＡＮＤゲートの一方の入力端子には、電子機器に備えられている各スイッチの操作に
より発生する各操作信号をそれぞれ入力し、各ＡＮＤゲートの他方の入力端子には、電子
機器の全体を制御するマイクロコンピュータの１個の出力ポートからのデューティ信号を
入力し、各ＡＮＤゲートから出力された各制御信号により各発光ダイオードをそれぞれダ
イナミック点灯させるように構成したことを特徴とする発光ダイオード点灯装置。
【請求項２】
電子機器におけるインジケータ用の複数の発光ダイオードをダイナミック点灯させる発
光ダイオード点灯装置において、電子機器に備えられている各スイッチの操作により発生
する各操作信号と、電子機器の全体を制御するマイクロコンピュータの１個の出力ポート
から出力されるデューティ信号とに基づいて各制御信号をそれぞれ生成し、各制御信号に
より各発光ダイオードをそれぞれダイナミック点灯させる駆動回路を備えたことを特徴と
する発光ダイオード点灯装置。
【請求項３】
前記駆動回路は、発光ダイオードに駆動電流を流すスイッチング素子と、該スイッチン
グ素子に制御信号を与えるＡＮＤゲートとを、発光ダイオードの個数分有し、各ＡＮＤゲ
ートの一方の入力端子には、電子機器に備えられている各スイッチの操作により発生する
各操作信号をそれぞれ入力し、各ＡＮＤゲートの他方の入力端子には、電子機器の全体を
制御するマイクロコンピュータの１個の出力ポートからのデューティ信号を入力し、各Ａ
ＮＤゲートから出力された各制御信号により各発光ダイオードをそれぞれダイナミック点
灯させることを特徴とする請求項２に記載の発光ダイオード点灯装置。
【発明の詳細な説明】
【技術分野】
【０００１】
本発明は、電子機器におけるインジケータ用の複数の発光ダイオードをダイナミック点
灯させる発光ダイオード点灯装置に関する。
【背景技術】
【０００２】
光ディスク記録再生装置、磁気記録再生装置、テレビジョン受信機、パーソナルコンピ
ュータなどの電子機器は、例えば電源がオン状態になっているときに、この事がユーザに
分るように、インジケータ用の発光ダイオードを点灯させたりしている。
【０００３】
図３は従来の発光ダイオード点灯装置の回路構成を示す回路図である。図３において、
１は例えばテレビジョン受信機に備えられている制御部を示し、この制御部１には、電源
スイッチ２と、電源スイッチ２の操作に応答してハイレベルの電源オン信号を出力する電
源スイッチ回路３と、例えばサラウンド音声と通常音声とを切り換える切換スイッチ５と
、切換スイッチ５がサラウンド音声に設定されているときにハイレベルのサラウンド設定
信号を出力すると共に切換スイッチ５が通常音声に設定されているときにローレベルの通
常音声設定信号を出力する切換スイッチ回路６とが備えられている。
【０００４】
また、制御部１には、テレビジョン受信機の各回路を制御するマイクロコンピュータ４
が備えられている。このマイクロコンピュータ４には、電源スイッチ回路３からの電源オ
ン信号を入力する入力ポート７と、切換スイッチ回路６からのサラウンド設定信号または
通常音声設定信号を入力する入力ポート８と、後述する駆動回路１２への制御信号を出力
する出力ポート９，１０，１１とが設けられている。なお、制御部１には、前記のような
構成要素以外の構成要素も備えているが、ここでは、その説明の都合上、その他の構成要
素については省略している。
【０００５】
駆動回路１２は、パワーオン・インジケータ用の発光ダイオードＤ１と、スタンバイ・
インジケータ用の発光ダイオードＤ２と、サラウンド設定インジケータ用の発光ダイオー
ドＤ３を発光駆動するものであり、抵抗１３，１５，１７とトランジスタ１４，１６，１
８とを備えている。抵抗１３の一端は電源Ｖｃｃに接続され、その他端は発光ダイオード
Ｄ１のアノードに接続されている。発光ダイオードＤ１のカソードはトランジスタ１４の
コレクタに接続され、そのエミッタは接地されている。また、トランジスタ１４のベース
はマイクロコンピュータ４の出力ポート９に接続されている。
【０００６】
抵抗１５の一端は電源Ｖｃｃに接続され、その他端は発光ダイオードＤ２のアノードに
接続されている。発光ダイオードＤ２のカソードはトランジスタ１６のコレクタに接続さ
れ、そのエミッタは接地されている。また、トランジスタ１６のベースはマイクロコンピ
ュータ４の出力ポート１０に接続されている。抵抗１７の一端は電源Ｖｃｃに接続され、
その他端は発光ダイオードＤ３のアノードに接続されている。発光ダイオードＤ３のカソ
ードはトランジスタ１８のコレクタに接続され、そのエミッタは接地されている。また、
トランジスタ１８のベースはマイクロコンピュータ４の出力ポート１１に接続されている
。
【０００７】
次に、このように構成された従来の発光ダイオード点灯装置の動作について説明する。
電源スイッチ２がオンされると、電源スイッチ回路３からはハイレベルの電源オン信号が
出力され、マイクロコンピュータ４の入力ポート７に与えられる。これにより、マイクロ
コンピュータ４は、電源オンに対する所定処理を行うと共に、発光ダイオードＤ１を駆動
するための所定のデューティ比の制御信号を生成して出力ポート９から出力する。したが
って、トランジスタ１４は、ベースに与えられた制御信号により高速でスイッチング動作
を行い、発光ダイオードＤ１を点灯させる。この発光ダイオードＤ１の点灯により、電源
スイッチ２がオン状態になっていることが分る。
【０００８】
次に、電源スイッチ２がオフされると、電源スイッチ回路３からはローレベルの電源オ
フ信号が出力され、マイクロコンピュータ４の入力ポート７に与えられる。これにより、
マイクロコンピュータ４は、電源オフに対する所定処理を行うと共に、発光ダイオードＤ
１を駆動停止するためのローレベルの制御信号を出力ポート９から出力し、トランジスタ
１４をオフし、発光ダイオードＤ１の駆動を停止させ、発光ダイオードＤ１を消灯する。
【０００９】
それに代わり、マイクロコンピュータ４は、スタンバイに対する所定処理を行うと共に
、スタンバイ・インジケータ用の発光ダイオードＤ２を駆動させるための所定のデューテ
ィ比の制御信号を生成して出力ポート１０から出力する。したがって、トランジスタ１６
は、ベースに与えられた制御信号により高速でスイッチング動作を行い、発光ダイオード
Ｄ２を点灯させる。この発光ダイオードＤ２の点灯により、電源スイッチ２がオフ状態で
、スタンバイ状態になっていることが分る。
【００１０】
また、切換スイッチ５がサラウンド設定されているとき、切換スイッチ回路６からはハ
イレベルのサラウンド設定信号が出力され、マイクロコンピュータ４の入力ポート８に与
えられ、これにより、マイクロコンピュータ４は、サラウンドに対する所定処理を行うと
共に、サラウンド・インジケータ用の発光ダイオードＤ３を駆動させるための所定のデュ
ーティ比の制御信号を生成して出力ポート１１から出力する。したがって、トランジスタ
１８は、ベースに与えられた制御信号により高速でスイッチング動作を行い、発光ダイオ
ードＤ３を点灯させる。この発光ダイオードＤ３の点灯により、切換スイッチ５がサラウ
ンド設定になっていることが分る。
【００１１】
なお、この従来の発光ダイオード点灯装置では、発光ダイオードが３個設けられたもの
を示したが、４個以上の発光ダイオードを駆動させる場合、マイクロコンピュータの出力
ポートの個数を発光ダイオードの個数に合わせて増設すれば良い。また、この従来の発光
ダイオード点灯装置は、テレビジョン受信機に用いられるインジケータ用の発光ダイオー
ドを点灯させるものについて説明したが、光ディスク記録再生装置や磁気記録再生装置、
その他、電子機器に用いられるインジケータ用の発光ダイオードを点灯させるものであっ
ても良い。
【特許文献１】実開昭６２−１１４４６４号公報
【特許文献２】特開平８−１６１９８６号公報
【特許文献３】実開平２−５１３９２号公報
【発明の開示】
【発明が解決しようとする課題】
【００１２】
しかしながら、このような従来の発光ダイオード点灯装置は、前述したように発光ダイ
オードの個数と同じ個数の出力ポート（発光ダイオードへの制御信号を出力する出力ポー
ト）を有するマイクロコンピュータが必要となるが、出力ポートの個数が増加すれば、マ
イクロコンピュータの回路構成が複雑化し、これにより、コストアップになると共に、待
機時の消費電力を１Ｗ以下に抑えることが難しくなると言う課題が生じる。
【００１３】
なお、特許文献１の従来技術は、複数の発光ダイオードを直列接続し、複数個の発光ダ
イオードの少なくとも１つに第１のスイッチ手段を並列接続して、スイッチ手段のオン／
オフで点灯する発光ダイオード数を切換えるように構成すると共に、電源回路に直列に介
装された第２のスイッチ手段と、第１のスイッチ手段の切換状態に応じて第２のスイッチ
手段の開閉繰り返し周期のデューティを変更する駆動回路とを備えているが、点灯する発
光ダイオードの個数によって、回路構成上、各発光ダイオードに流れる電流が一定ではな
く、各発光ダイオードの明るさが異なるようになり、実用的ではない。
【００１４】
特許文献２の従来技術は、複数の発光素子をダイナミック点灯させる構成ではない。ま
た、特許文献３の従来技術は、発光ダイオードの個数分だけマイクロコンピュータの出力
ポートが必要となるので、上記のような課題を解決することができない。
【００１５】
本発明は、上記のような課題を解決するためになされたもので、マイクロコンピュータ
の出力ポートを１個使用して、複数の発光ダイオードを制御することができる発光ダイオ
ード点灯装置を提供することを目的とする。
【課題を解決するための手段】
【００１６】
上記目的を達成するために、請求項１の発明は、電子機器におけるインジケータ用の複
数の発光ダイオードをダイナミック点灯させる発光ダイオード点灯装置において、発光ダ
イオードに駆動電流を流すスイッチング素子と、該スイッチング素子に制御信号を与える
ＡＮＤゲートとを、発光ダイオードの個数分設け、各ＡＮＤゲートの一方の入力端子には
、電子機器に備えられている各スイッチの操作により発生する各操作信号をそれぞれ入力
し、各ＡＮＤゲートの他方の入力端子には、電子機器の全体を制御するマイクロコンピュ
ータの１個の出力ポートからのデューティ信号を入力し、各ＡＮＤゲートから出力された
各制御信号により各発光ダイオードをそれぞれダイナミック点灯させるように構成したこ
とを特徴とする発光ダイオード点灯装置を提供する。
【００１７】
この構成において、例えば電源スイッチがオンされると、電源オンを示すハイレベルの
操作信号がＡＮＤゲートの一方端子に入力され、マイクロコンピュータの１個の出力ポー
トからのデューティ信号が前記ＡＮＤゲートの他方端子に入力されると、前記ＡＮＤゲー
トからは前記操作信号と前記デューティ信号との論理積を取った制御信号が出力される。
この制御信号を入力したスイッチング素子はスイッチング動作を行い、電源オンを示す発
光ダイオードを点灯させる。他の発光ダイオードについても同様に、該当ＡＮＤゲートか
らは操作信号と前記デューティ信号との論理積を取った制御信号により、点灯される。
【００１８】
この構成によれば、複数個の発光ダイオードを制御するのに、マイクロコンピュータの
出力ポートは１個で済むので、マイクロコンピュータの回路構成が簡単化し、これにより
、コストダウンを図れると共に、待機時の消費電力を１Ｗ以下に抑えることが容易になる
。
【００１９】
請求項２の発明は、電子機器におけるインジケータ用の複数の発光ダイオードをダイナ
ミック点灯させる発光ダイオード点灯装置において、電子機器に備えられている各スイッ
チの操作により発生する各操作信号と、電子機器の全体を制御するマイクロコンピュータ
の１個の出力ポートから出力されるデューティ信号とに基づいて各制御信号をそれぞれ生
成し、各制御信号により各発光ダイオードをそれぞれダイナミック点灯させる駆動回路を
備えたことを特徴とする発光ダイオード点灯装置を提供する。
【００２０】
この構成において、例えば、電源スイッチがオンされると、駆動回路では、電源オンを
示すハイレベルの操作信号と、マイクロコンピュータの１個の出力ポートからのデューテ
ィ信号とに基づいて制御信号が生成され、この制御信号によりスイッチング素子はスイッ
チング動作を行い、電源オンを示す発光ダイオードを点灯させる。他の発光ダイオードに
ついても同様に、操作信号と前記デューティ信号とに基づいて生成された制御信号により
、点灯される。
【００２１】
この構成によれば、複数個の発光ダイオードを制御するのに、マイクロコンピュータの
出力ポートは１個で済むので、マイクロコンピュータの回路構成が簡単化し、これにより
、コストダウンを図れると共に、待機時の消費電力を１Ｗ以下に抑えることが容易になる
。
【００２２】
請求項３の発明では、請求項２の発明において、前記駆動回路は、発光ダイオードに駆
動電流を流すスイッチング素子と、該スイッチング素子に制御信号を与えるＡＮＤゲート
とを、発光ダイオードの個数分有し、各ＡＮＤゲートの一方の入力端子には、電子機器に
備えられている各スイッチの操作により発生する各操作信号をそれぞれ入力し、各ＡＮＤ
ゲートの他方の入力端子には、電子機器の全体を制御するマイクロコンピュータの１個の
出力ポートからのデューティ信号を入力し、各ＡＮＤゲートから出力された各制御信号に
より各発光ダイオードをそれぞれダイナミック点灯させるので、マイクロコンピュータの
出力ポートが１個でも、複数の発光ダイオードを制御することが可能な回路を実現するこ
とができる。
【発明の効果】
【００２３】
以上のように本発明によれば、電子機器におけるインジケータ用の複数の発光ダイオー
ドをダイナミック点灯させる発光ダイオード点灯装置において、発光ダイオードに駆動電
流を流すスイッチング素子と、該スイッチング素子に制御信号を与えるＡＮＤゲートとを
、発光ダイオードの個数分設け、各ＡＮＤゲートの一方の入力端子には、電子機器に備え
られている各スイッチの操作により発生する各操作信号をそれぞれ入力し、各ＡＮＤゲー
トの他方の入力端子には、電子機器の全体を制御するマイクロコンピュータの１個の出力
ポートからのデューティ信号を入力し、各ＡＮＤゲートから出力された各制御信号により
各発光ダイオードをそれぞれダイナミック点灯させるように構成したので、複数個の発光
ダイオードを制御するのに、マイクロコンピュータの出力ポートは１個で済み、これによ
り、マイクロコンピュータの回路構成が簡単化し、したがって、コストダウンを図れると
共に、待機時の消費電力を１Ｗ以下に抑えることが容易になる。また、マイクロコンピュ
ータ次第で、自由なデューティで複数の発光ダイオードを点灯させることができ、小さな
マイクロコンピュータで、少電力化が必要な場合に有効となる。
【００２４】
また、本発明によれば、電子機器におけるインジケータ用の複数の発光ダイオードをダ
イナミック点灯させる発光ダイオード点灯装置において、電子機器に備えられている各ス
イッチの操作により発生する各操作信号と、電子機器の全体を制御するマイクロコンピュ
ータの１個の出力ポートから出力されるデューティ信号とに基づいて各制御信号をそれぞ
れ生成し、各制御信号により各発光ダイオードをそれぞれダイナミック点灯させる駆動回
路を備えたので、複数個の発光ダイオードを制御するのに、マイクロコンピュータの出力
ポートは１個で済み、これにより、マイクロコンピュータの回路構成が簡単化し、したが
って、コストダウンを図れると共に、待機時の消費電力を１Ｗ以下に抑えることが容易に
なる。また、マイクロコンピュータ次第で、自由なデューティで複数の発光ダイオードを
点灯させることができ、小さなマイクロコンピュータで、少電力化が必要な場合に有効と
なる。
【発明を実施するための最良の形態】
【００２５】
以下、添付図面を参照しつつ、本発明の実施の形態について説明する。図１は本発明の
一実施形態に係る発光ダイオード点灯装置の回路構成を示す回路図である。
【００２６】
図１において、２１は例えばテレビジョン受信機に備えられている制御部を示し、この
制御部２１には、電源スイッチ２と、電源スイッチ２の操作に応答してハイレベルの電源
オン信号（操作信号）を出力する電源スイッチ回路３と、例えばサラウンド音声と通常音
声とを切り換える切換スイッチ５と、切換スイッチ５がサラウンド音声に設定されている
ときにハイレベルのサラウンド設定信号を出力すると共に切換スイッチ５が通常音声に設
定されているときにローレベルの通常音声設定信号を出力する切換スイッチ回路６とが備
えられている。
【００２７】
また、制御部２１には、テレビジョン受信機の各回路を制御するマイクロコンピュータ
２２が備えられている。このマイクロコンピュータ２２には、電源スイッチ回路３からの
電源オン信号を入力する入力ポート２３と、切換スイッチ回路６からのサラウンド設定信
号または通常音声設定信号を入力する入力ポート２４と、後述する駆動回路３３へのデュ
ーティ信号を出力する出力ポート２５とが設けられている。なお、制御部２１には、前記
のような構成要素以外の構成要素も備えているが、ここでは、その説明の都合上、その他
の構成要素については省略している。
【００２８】
駆動回路３３は、パワーオン・インジケータ用の発光ダイオードＤ１と、スタンバイ・
インジケータ用の発光ダイオードＤ２と、サラウンド設定インジケータ用の発光ダイオー
ドＤ３を発光駆動するものであり、抵抗１３，１５，１７とトランジスタ１４，１６，１
８とＡＮＤゲート２８，３０，３２と抵抗２７，２９，３１とを備えている。
【００２９】
抵抗１３の一端は電源Ｖｃｃに接続され、その他端は発光ダイオードＤ１のアノードに
接続されている。発光ダイオードＤ１のカソードはトランジスタ１４のコレクタに接続さ
れ、そのエミッタは接地されている。また、トランジスタ１４のベースはＡＮＤゲート２
８の出力端子に接続されている。抵抗１５の一端は電源Ｖｃｃに接続され、その他端は発
光ダイオードＤ２のアノードに接続されている。発光ダイオードＤ２のカソードはトラン
ジスタ１６のコレクタに接続され、そのエミッタは接地されている。また、トランジスタ
１６のベースはＡＮＤゲート３０の出力端子に接続されている。抵抗１７の一端は電源Ｖ
ｃｃに接続され、その他端は発光ダイオードＤ３のアノードに接続されている。発光ダイ
オードＤ３のカソードはトランジスタ１８のコレクタに接続され、そのエミッタは接地さ
れている。また、トランジスタ１８のベースはＡＮＤゲート３２の出力端子に接続されて
いる。
【００３０】
ＡＮＤゲート２８の一方の入力端子は、プルアップ用の抵抗２７を介して電源Ｖｃｃに
接続されていると共に、電源スイッチ回路３の出力ラインＬ１に接続されている。ＡＮＤ
ゲート２８の他方の入力端子は、マイクロコンピュータ２２の出力ポート２５の出力ライ
ンＬ２に接続されている。ＡＮＤゲート３０の一方の入力端子は、プルアップ用の抵抗２
９を介して電源Ｖｃｃに接続されていると共に、ＮＯＴゲート２６を介して電源スイッチ
回路３の出力ラインＬ１に接続されている。ＡＮＤゲート３０の他方の入力端子は、マイ
クロコンピュータ２２の出力ポート２５の出力ラインＬ２に接続されている。ＡＮＤゲー
ト３２の一方の入力端子は、プルアップ用の抵抗３１を介して電源Ｖｃｃに接続されてい
ると共に、切換スイッチ回路６の出力ラインＬ３に接続されている。ＡＮＤゲート３２の
他方の入力端子は、マイクロコンピュータ２２の出力ポート２５の出力ラインＬ２に接続
されている。
【００３１】
次に、このように構成された発光ダイオード点灯装置の動作について図２に示す信号波
形図も参照して説明する。電源スイッチ２がオンされると、電源スイッチ回路３からはハ
イレベルの電源オン信号が出力され、マイクロコンピュータ２２の入力ポート２３に与え
られる。これにより、マイクロコンピュータ２２は電源オンに対する所定処理を行う。ま
た、マイクロコンピュータ２２は、発光ダイオードＤ１，Ｄ２，Ｄ３の消費電力が最も小
さく、適切な明るさで、人間の目にとってチラツキを感じないようなデューティ比のパル
ス信号（ここではデューティ信号と呼ぶ）を生成して、出力ポート２５から出力している
。このデューティ信号を例えば図２（ａ）に示す。
【００３２】
したがって、駆動回路３３内のＡＮＤゲート２８は、図２（ａ）に示すようなデューテ
ィ信号と、電源スイッチ回路３から出力された図２（ｂ）に示すような電源オン信号との
論理積を取り、図２（ｃ）に示すようなパルス信号（ここでは制御信号と呼ぶ）を出力す
る。したがって、トランジスタ１４は、ベースに与えられた制御信号により高速でスイッ
チング動作を行い、パワーオン・インジケータ用の発光ダイオードＤ１を点灯させる。こ
の発光ダイオードＤ１の点灯により、電源スイッチ２がオン状態になっていることが分る
。
【００３３】
次に、電源スイッチ２がオフされると、電源スイッチ回路３からはローレベルの電源オ
フ信号が出力され、マイクロコンピュータ２２の入力ポート２３に与えられる。これによ
り、マイクロコンピュータ２２は、電源オフに対する所定処理を行う。一方、ＡＮＤゲー
ト２８の一方の入力端子には、電源スイッチ回路３からの図２（ｄ）に示すようなローレ
ベルの電源オフ信号が入力されるので、ＡＮＤゲート２８の出力端子からはローレベル信
号が出力され、これにより、トランジスタ１４がオフして、発光ダイオードＤ１が消灯す
る。
【００３４】
また、電源スイッチ回路３からのローレベルの電源オフ信号は、ＮＯＴゲート２６で反
転され、図２（ｅ）に示すようなハイレベルの電源オフ信号としてＡＮＤゲート３０の一
方の入力端子に入力される。したがって、ＡＮＤゲート３０では、図２（ａ）に示すよう
なデューティ信号と、図２（ｅ）に示すような電源オフ信号との論理積を取って、図２（
ｆ）に示すようなパルス信号を制御信号としてトランジスタ１６のベースに入力する。
【００３５】
これにより、トランジスタ１６は、ベースに与えられた制御信号により高速でスイッチ
ング動作を行い、スタンバイ・インジケータ用の発光ダイオードＤ２を点灯させる。この
発光ダイオードＤ２の点灯により、電源スイッチ２がオフ状態で、スタンバイ状態になっ
ていることが分る。
【００３６】
また、切換スイッチ５がサラウンド設定されているとき、切換スイッチ回路６からは、
図２（ｇ）に示すようなハイレベルのサラウンド設定信号が出力され、マイクロコンピュ
ータ２２の入力ポート２４に与えられ、これにより、マイクロコンピュータ２２は、サラ
ウンドに対する所定処理を行う。その一方、ＡＮＤゲート３２は、マイクロコンピュータ
２２の出力ポート２５からの図２（ａ）に示すようなデューティ信号と、図２（ｇ）に示
すようなハイレベルのサラウンド設定信号との論理積を取って、図２（ｈ）に示すような
パルス信号を制御信号としてトランジスタ１８のベースに入力する。
【００３７】
したがって、トランジスタ１８は、ベースに与えられた制御信号により高速でスイッチ
ング動作を行い、サラウンド設定インジケータ用の発光ダイオードＤ３を点灯させる。こ
の発光ダイオードＤ３の点灯により、切換スイッチ５がサラウンド設定になっていること
が分る。
【００３８】
なお、本実施形態の発光ダイオード点灯装置では、発光ダイオードが３個設けられたも
のを示したが、４個以上の発光ダイオードを駆動させる場合でも、マイクロコンピュータ
の出力ポートが１個で済む。また、本実施形態の発光ダイオード点灯装置は、テレビジョ
ン受信機に用いられるインジケータ用の発光ダイオードを点灯させるものについて説明し
たが、光ディスク記録再生装置や磁気記録再生装置、その他、電子機器に用いられるイン
ジケータ用の発光ダイオードを点灯させるものであっても良い。
【００３９】
以上説明したように本実施形態によれば、複数個の発光ダイオードを制御するのに、マ
イクロコンピュータの出力ポートは１個で済むので、マイクロコンピュータの回路構成が
簡単化し、これにより、コストダウンを図れると共に、待機時の消費電力を１Ｗ以下に抑
えることが容易になる。
【図面の簡単な説明】
【００４０】
【図１】本発明の一実施形態に係る発光ダイオード点灯装置の回路構成を示す回路図である。
【図２】前記実施形態において発光ダイオードを点灯させる動作を説明するための信号波形図である。
【図３】従来の発光ダイオード点灯装置の回路構成を示す回路図である。
【符号の説明】
【００４１】
１４，１６，１８    トランジスタ（スイッチング素子）
２２    マイクロコンピュータ
２５    出力ポート
２８，３０，３２    ＡＮＤゲート
３３    駆動回路
Ｄ１，Ｄ２，Ｄ３    発光ダイオード
【図１】
2006041142.tif 000003
【図２】
2006041142.tif 000004
【図３】
2006041142.tif 000005